(57)【要約】  【課題】  鹿等の食害動物による食害を防止するため動物食害防止ネットを植生対象面から一部浮いた状態にするにあたり、コイルばねのようなスペーサを不要にしてコスト縮減を図ることができるとともに、施工性に優れた動物食害防止ネット付緑化構造体および緑化方法ならびに動物食害防止ネット付植生基体を提供すること。  【解決手段】  植生マット（植生基体の一例  ）２の上方に、補強用桟体１１を備えた動物食害防止ネット１０を重ねた状態で植生対象面Ｎに敷設するとともに、前記植生マット２から前記動物食害防止ネット１０が一部浮いた状態となるように前記補強用桟体１１、動物食害防止ネット１０及び植生マット２を固定用部材１２により植生対象面Ｎに固定している。【選択図】      図１
2010213606.tif 000002
【特許請求の範囲】
【請求項１】
補強用桟体を備えた動物食害防止ネットが植生基体を覆い且つ植生基体から一部浮いた状態となるように、前記補強用桟体、動物食害防止ネット及び植生基体を固定用部材により植生対象面に固定してなることを特徴とする動物食害防止ネット付緑化構造体。
【請求項２】
植生基体の上方に、補強用桟体を備えた動物食害防止ネットを重ねた状態で植生対象面に敷設するとともに、前記植生基体から前記動物食害防止ネットが一部浮いた状態となるように前記補強用桟体、動物食害防止ネット及び植生基体を固定用部材により植生対象面に固定することを特徴とする緑化方法。
【請求項３】
請求項２に記載された緑化方法に用いられる動物食害防止ネット付植生基体であって、動物食害防止ネットと植生基体とは重ね合わされて端部が連結されており、且つ前記動物食害防止ネットは、前記植生基体よりも長尺であって、且つ適当間隔おきに補強用桟体を備えていることを特徴とする動物食害防止ネット付植生基体。
【発明の詳細な説明】
【技術分野】
【０００１】
この発明は、動物による食害を防止するための動物食害防止ネット付緑化構造体および緑化方法ならびに動物食害防止ネット付植生基体に関するものである。
【背景技術】
【０００２】
近年、鹿等の大型草食動物による食害が、特に緑化工の妨げとなり問題となっている。すなわち、法面等の植生対象面に緑化工を施工してもこの施工に用いる緑化用植物が発芽初期段階で食害にあい、その結果、緑化による侵食防止が不十分な状態で法面等の植生対象面が放置されてしまうことが多い。
【０００３】
そこで、上記食害を防止するために、下記特許文献１に示すように、金網を植生対象面としての法面から浮かせた状態で張設することによって、草食動物の侵入を防いで植物を保護することが従来より行われてきた。
【先行技術文献】
【特許文献】
【０００４】
【特許文献１】特開２００５−１３７２５８号公報
【発明の概要】
【発明が解決しようとする課題】
【０００５】
しかし、特許文献１に記載された方法は、コイルばねを使って金網を法面から一部浮かせた状態にしており、その分コストが嵩むという課題がある。
【０００６】
また、特許文献１に記載された方法では、法面に植物を生育するため、まず始めに法面上に生育基盤を形成し、次に、生育基盤中の種子が発芽しやすい温度及び湿度に保持するため前記生育基盤を被覆する被覆材を施工する必要があり、しかも被覆材の施工では法面の法肩に予め被覆材設置用の複数のアンカーピンを打ち込み、被覆材を生育基盤の上に垂らした状態にするため前記被覆材設置用のアンカーピンに被覆材の紐を引っかけるといった作業を行い、そして始めて被覆材の上に金網を広げた状態で金網と被覆材を別途アンカーピンにより法面に対して固定し、最後に金網を法面から離すように引っ張って前記コイルばねを金網の網目から金網の下方に通すことにより前記コイルばねを被覆材と金網の間に配置して金網を被覆材から一部浮かせた状態にするといった施工がなされていることから、施工の効率化が図れないという課題があり、これに代わる新たな方法の開発が望まれている。
【０００７】
この発明は、上述の事柄に留意してなされたもので、その目的は、鹿等の食害動物による食害を防止するため動物食害防止ネットを植生対象面から一部浮いた状態にするにあたり、コイルばねのようなスペーサを不要にしてコスト縮減を図ることができるとともに、施工性に優れた動物食害防止ネット付緑化構造体および緑化方法ならびに動物食害防止ネット付植生基体を提供することである。
【課題を解決するための手段】
【０００８】
上記目的を達成するために、この発明の動物食害防止ネット付緑化構造体は、補強用桟体を備えた動物食害防止ネットが植生基体を覆い且つ植生基体から一部浮いた状態となるように、前記補強用桟体、動物食害防止ネット及び植生基体を固定用部材により植生対象面に固定してなることを特徴としている（請求項１）。
【０００９】
また、この発明は別の観点から、植生基体の上方に、補強用桟体を備えた動物食害防止ネットを重ねた状態で植生対象面に敷設するとともに、前記植生基体から前記動物食害防止ネットが一部浮いた状態となるように前記補強用桟体、動物食害防止ネット及び植生基体を固定用部材により植生対象面に固定することを特徴とする緑化方法を提供する（請求項２）。
【００１０】
また、この発明はさらに別の観点から、請求項２に記載された緑化方法に用いられる動物食害防止ネット付植生基体であって、動物食害防止ネットと植生基体とは重ね合わされて端部が連結されており、且つ前記動物食害防止ネットは、前記植生基体よりも長尺であって、且つ適当間隔おきに補強用桟体を備えていることを特徴とする動物食害防止ネット付植生基体を提供する（請求項３）。
【００１１】
この発明における植生対象面とは、例えば道路や山腹等の法面、河川敷、川岸、湖岸などで植生により緑化する対象となる面（施工地）を意味する。
【００１２】
また、この発明における（食害）動物とは、鯨偶蹄目若しくはグレリス大目の系統に属し、植物に食害を与える動物（鹿、カモシカ、猪、ウサギなど）を特に指す。
【００１３】
この発明における植生基体の例としては、
（１）図１〜図６に示すような植生マット２を挙げることができる。これは、例えば、基盤材としての緑化材料、すなわち、土壌改良材、保水材、肥料、有機質材料などの植生基材ｂの少なくとも一つおよび／または植物種子ａなどを下部に保持する薄綿（シート）４を、ネット５の下面に保持するとともに、ネット５の複数箇所に適宜間隔おきに収容部６を設け、これら収容部６に有機質材料や保水材及び肥料等の植生基材ｂが収容された例えば不織布などからなる肥料袋７が挿入収容されてなる肥料袋付植生マットである。
【００１４】
また、植生基体の別の例としては、
（２）図７に示すような植生シート２’を挙げることができる。これは、例えば土壌改良材、保水材、肥料、有機質材料などの植生基材ｂの少なくとも一つと植物種子ａとを下部に保持する薄綿４と、この薄綿４を下面に保持するネット５とを備えている。
【００１５】
また、植生基体のさらに別の例としては、
（３）ネット単体や、肥料袋付ネットを挙げることができる。
【００１６】
そして、前記薄綿４は、例えば薄綿ラップや不織布などからなるものであり、例えば、簡単に水で解ける（分散する）水解性のシートでもよく、生分解性の繊維からなるシートでもよい。そして、前記薄綿４に代えて、薄い素材間に前記植物種子ａなどとともに、植生基材ｂの少なくとも一つを挟在させた所謂張芝体をネット５下面に保持させることが可能である。
【００１７】
なお、前記肥料袋、シート、張芝体の構成素材としては、例えばバクテリアなどの微生物で分解腐食されて経時的に消失する綿、絹、麻などの天然繊維や、再生セルロースからなるビスコースレーヨンなどの再生繊維、さらには、前述したような腐食性繊維の単独、又は、腐食性繊維と合成繊維とからなる混紡繊維を使用することも可能である。
【００１８】
この発明における補強用桟体とは、例えば金属製、木製あるいはプラスチック製等の線状体、棒状体、帯状体等を含む。そして動物食害防止ネットに対する取り付けの好ましい形態として以下の形態を挙げることができる。
（１）紐、針金等の線材で補強用桟体を動物食害防止ネットに縛りつけた状態。
（２）動物食害防止ネットと補強用桟体が金属製である場合には接着、溶接等の接合手段で補強用桟体を動物食害防止ネットに接合した状態。
（３）動物食害防止ネットの目合い（網目）を縫うように補強用桟体を動物食害防止ネットに通した状態。
【００１９】
なお、この発明は動物食害防止ネットへの補強用桟体の取り付け状態を上記のものに限定するものではない。
【００２０】
この発明の動物食害防止ネット付植生基体においては、
（１）動物食害防止ネットと植生基体とは重ね合わされて端部が連結されている。連結手段としては、ホックリング、Ｃリング、結束線材等の部材を挙げることができる。
【００２１】
動物食害防止ネット付植生基体を上記のように構成しているのは、工場生産された製品としての動物食害防止ネット付植生基体をロール巻きの状態で発送することができるからである。すなわち、重ね合わされている動物食害防止ネットおよび植生基体それぞれの端部同士を連結することにより両者を一体化することができる。そして、前記端部同士を連結することにより植生基体と動物食害防止ネットとを一体化することによって、工場生産の時点において植生基体と動物食害防止ネットとを重ね合わせたまま２重状態で巻くことが容易である。なお、この端部同士の連結を、施工時点で行ってもよい。いずれにしても施工時には、動物食害防止ネットと植生基体とは重ね合わされて端部が連結されていることから、動物食害防止ネット付植生基体の前記連結端部を持った状態でロール状の植生基体および動物食害防止ネット（図１〜６では植生マット２および動物食害防止ネット１０）を植生対象面の法肩（植生対象面上側；図１〜６では法面上側）から下（法尻側）へ放り投げるように展開させることが可能となる。そして、展開後は、上（法肩）から順に固定用部材（例えばアンカーピン１２）を打設していけばよい。
（２）また、前記動物食害防止ネットは、適当間隔おきに補強用桟体を備えた、前記植生基体よりも長尺なネットである。
【００２２】
前記動物食害防止ネットが前記植生基体よりも長尺であるとは、例えば図２，４に示すように両者が平面視矩形状である場合、長手方向（図２，４に両矢印Ａで示す動物食害防止ネットおよび植生基体のそれぞれ縦方向）および短手方向（図２，４に両矢印Ｂで示す動物食害防止ネットおよび植生基体のそれぞれ横（幅）方向；このＢ方向は、Ａ方向に対して直角な方向である）の長さが、前記植生基体に比べて前記動物食害防止ネットの方が大であるということであり、これにより植生基体から一部浮いた状態で、動物食害防止ネットで植生基体を覆うことができる。
【００２３】
さらに、この発明では、工場生産の段階で、補強用桟体の長手方向をＢ方向に沿わせながら動物食害防止ネットに取り付けるのであるが、例えば図２に示すように、Ａ方向において隣接する例えば補強用桟体１１（１１ｂ）および１１（１１ｃ）間の取り付け距離Ｄによって植生基体２から動物食害防止ネット１０が一部浮き上がる高さＨ〔図１（Ａ）参照〕を調整することができる。なお、図１では、高さＨを動物食害防止ネット部分１０ｂの例えば頂点ｍと植生基体下面ｎ間の高さとしている。
【００２４】
そして、例えば肥料袋７が略所定間隔ｄおきに法肩側から法尻側に向かってＡ方向に沿って連続並置されている上述したような肥料袋付植生マット２を植生基体としている例えば図１，２では、法肩側から法尻側に向かってこの順で連続並置されている例えば４個の肥料袋７（７ａ），７（７ｂ），７（７ｃ），７（７ｄ）のうち法肩側の肥料袋７（７ａ）および法尻側の肥料袋７（７ｄ）間の距離Ｄ（≒３×ｄ）を、Ａ方向において法肩側から法尻側に向かってこの順で隣接する補強用桟体１１（１１ａ），１１（１１ｂ）、１１（１１ｃ）間の取り付け距離としている（図４の場合も同様にしている）。この際、補強用桟体、動物食害防止ネット及び植生基体は固定用部材により植生対象面に固定されるが、固定用部材１２が肥料袋７を貫通した状態で、固定用部材１２を肥料袋７一つ置きに打設される。
【００２５】
そして、この発明において、適当間隔おきにとは、前記取り付け距離Ｄおきにということである。
【００２６】
なお、前記補強用桟体の長手方向の長さは動物食害防止ネット２の横幅Ｘ（Ｂ方向に沿う長さ）と同じ程度が好ましい。
【００２７】
また、この発明では、補強用桟体である線状体、棒状体の太さ、帯状体の幅（例えば短冊形状の帯状体を動物食害防止ネットに取り付けた場合のＡ方向に沿う長さ）は適宜設定できるものである。
【００２８】
この発明において、補強用桟体、動物食害防止ネット及び植生基体を植生対象面に固定するための固定用部材としては、上述したように例えばアンカーピン１２を挙げることができる。
【００２９】
そして、この発明における動物食害防止ネットは、ロール巻き可能であるとともに、植生基体から浮かせることにより、その上を鹿等の食害動物が歩行しても変形しにくくするため可撓性（柔軟性）と強度を兼ね備えたものである。そして、その目合い（網目）、その線材、線径等は、生育させる植物の種類に応じて、また、以下の点を考慮して適宜選択されうる。
【００３０】
例えば草本類よりも草丈の大きい樹木等の木本類も生育させる場合は草本類のみを生育させる場合に比べて広めの目合いを有する金網や合成樹脂製網が用いられる。用いる金網として、例えば目合いの広い例えば亀甲金網（六角形状に針金をねり合わせたもの）、目合いの広い例えぱ菱形金網（らせん状に繰り出した山形の波状線をひし形に組み合わせたもの）を挙げることができる。
【００３１】
また、この発明において、植物として、草本類のみを用いる場合は、木本類の生育を阻害する程度の目の細かい動物食害防止ネットを使用すればよい。
【００３２】
例えば図２には、一辺ｅを有する菱形の目合いＥになるよう編込まれており、各目合いＥの交点部ｇが溶着されていない構成の菱形金網が示されている。
【００３３】
一方、図４は、前記菱形金網に比べて幾分柔らかい（より柔軟性を持つ）金網を動物食害防止ネットとして用いる場合を示している。図４には、目合いＥ’を持つ亀甲金網が示されている。これは、菱形の前記目合いＥと略同じ面積を持つよう編込まれており、各目合いＥ’の交点部ｇ’が溶着されていない構成を有する。この亀甲金網は、図２に示した菱形金網に比べて幾分柔らかいので、図３のように植生基体から一部浮かせるためには支えがないと保形性を保ことができない。そのため、支えとしてのフック付補強材（後述する）が導入される。このフック付補強材は、動物食害防止ネットとして前記菱形金網を用いる場合にも適用できることは勿論である。
【００３４】
また、この発明では、植生対象面近辺の例えば森の林床などの土とともに採取した植生種子（シードバンク）による植物を導入することも可能である。この場合、植生種子（シードバンク）を植生種（草本類の種子だけ、草本類の種子と木本類の種子の混合物、木本類の種子だけ）と植生基材に混入することにより、早期の法面などの植生対象面の緑化を行いながら、この法面緑化により地域の景観にあった自然回復を達成できる利点がある。
【００３５】
なお、この発明においては、前記動物食害防止ネットとして、忌避剤を混入させた合成樹脂製ネットを用いたり、忌避剤を塗布した合成樹脂製ネットまたは鉄線等よりなる金属製ネットを用いることもできる。この場合、忌避剤の効果が長時間維持することができる点で好適である。
【００３６】
また、この発明においては、前記動物食害防止ネットの表面の色を白またはシルバー色にした場合、鹿等の食害動物は白黒で物を見ることから、植生対象面から浮かせた前記ネットを鹿等の食害動物から視覚的に認識しにくくでき、食害防止に寄与することができる。
【発明の効果】
【００３７】
本願の請求項１、２に係る発明によれば、補強用桟体を備えた（鹿等の動物による食害を防止するための）動物食害防止ネットを植生基体から一部浮かせることにより、鹿等の食害動物を植生対象面に侵入しにくくすることができて植物の生育を確実に図ることができる。
【００３８】
また、本願の請求項１、２に係る発明によれば、動物食害防止ネットを植生基体から一部浮かせるのにコイルばねのような極めて高価なスペーサを使うことなく安価な補強用桟体を使うので、コスト安にできる。
【００３９】
そして、本願の請求項１に係る発明によれば、補強用桟体を備えた動物食害防止ネットが植生基体を覆い且つ植生基体から一部浮いた状態となるように、前記補強用桟体、動物食害防止ネット及び植生基体を固定用部材により植生対象面に固定してなるので、金網をアンカーピンにより法面に対して固定した後においても、金網を法面から離すように引っ張ってコイルばねを金網の網目から金網の下方に通すという手間のかかる作業を行う必要があった従来例に比べて、動物食害防止ネットを一部浮かせるための作業を軽減することができ、施工に手間がかかるおそれはなくなり、施工の効率化を図ることができる。
【００４０】
また、本願の請求項２に係る発明によれば、植生基体の上方に、補強用桟体を備えた動物食害防止ネットを重ねた状態で植生対象面に敷設するので、例えば植生基体の施工後にその上から動物食害防止ネットを張設するといったように植生基体および動物食害防止ネットの施工を順次施す必要はなくなる。すなわち、動物食害防止ネットを一部浮かせるための作業を軽減することができ、施工に手間がかかるおそれはなくなり、施工の効率化を図ることができる。
【００４１】
また、コイルばねを金網の網目から金網の下方に通すという作業を行う従来例に比べ、本願の請求項２に係る発明の方が、施工の一層の効率化を図ることができる点で有利である。
【００４２】
本願の請求項３に係る発明においては、動物食害防止ネットと植生基体とは重ね合わされて端部が連結されている。また、動物食害防止ネットは、適当間隔おきに補強用桟体を備えた、植生基体よりも長尺なネットに構成されている。
【００４３】
そのため、本願の請求項３に係る発明の動物食害防止ネット付植生基体を、予め工場生産して製品とすること、および、これをロール巻きの状態で出荷することが可能である。すなわち、植生基体よりも長尺であって、且つ適当間隔おきに補強用桟体を備えている動物食害防止ネットと植生基体とは施工現場へ持ち込まれるまでに既に出荷の時点で重ね合わされており、動物食害防止ネットおよび植生基体それぞれの端部同士を連結することにより植生基体と動物食害防止ネットとを一体化することができるので、工場生産の時点において植生基体と動物食害防止ネットとを重ね合わせたまま２重状態で巻くこと（ロール巻き）が容易である。
【００４４】
そして、使用にあたっては、このようにロール巻きされた状態で工場より施工現場に送られてきた動物食害防止ネット付植生基体をほどきながらこれを植生対象面に敷設する作業と、その後の補強用桟体、動物食害防止ネット及び植生基体を固定用部材により植生対象面に固定する作業を施すだけでよく、植生基体の施工後、その上から動物食害防止ネットを張設するといった手間のかかる施工を行う必要はなくなり、施工の効率化を図ることができる。すなわち、施工時には、動物食害防止ネットと植生基体とは重ね合わされて端部が連結されていることから、動物食害防止ネット付植生基体の前記連結端部を持った状態でロール状の植生基体および動物食害防止ネットを植生対象面の法肩から下（法尻側）へ放り投げるように展開させることが可能となる。そして、展開後は、上（法肩）から順に固定用部材を打設していけばよい。
【００４５】
併せて、例えば植生基体と補強用桟体と動物食害防止ネットの三部材を別個に出荷する必要もなくなり、部材の紛失のおそれを軽減することができ、三部材の数合わせのための作業も不要にできて発送の効率化を図ることができる点においても本願の請求項３に係る発明は有効な発明を提供することができる。
【図面の簡単な説明】
【００４６】
【図１】（Ａ）は、この発明の第１の実施形態における初期の施工状態を示す構成説明図である。（Ｂ）は、上記実施形態における植物生育状態を示す構成説明図である。
【図２】上記実施形態における補強用桟体を備えた動物食害防止ネットと植生マット（植生基体の一例）を重ねる前の状態を示す構成説明図である。
【図３】この発明の第２の実施形態における初期の施工状態を示す構成説明図である。
【図４】上記第２の実施形態における補強用桟体を備えた動物食害防止ネットと植生マット（植生基体の一例）を重ねる前の状態を示す構成説明図である。
【図５】この発明の第３の実施形態における補強用桟体を備えた動物食害防止ネットと植生マット（植生基体の一例）を重ねる前の状態を示す構成説明図である。
【図６】この発明の第４の実施形態における補強用桟体を備えた動物食害防止ネットと植生マット（植生基体の一例）を重ねる前の状態を示す構成説明図である。
【図７】この発明を適用可能な植生基体の別の一例を示す斜視図である。
【発明を実施するための形態】
【００４７】
図１，２は、補強用桟体を備えた動物食害防止ネットとして、菱形金網を用い、動物食害防止ネットで覆われる植生基体として、上述した肥料袋付植生マット２を用いたこの発明の第１の実施形態を示す。
【００４８】
図１，２において、動物食害防止ネット付植生基体１は、平面視矩形状の動物食害防止ネット１０と平面視矩形状の肥料袋付植生マット２とより主としてなる。
【００４９】
そして、動物食害防止ネット１０と肥料袋付植生マット２とは重ね合わされて動物食害防止ネット１０および肥料袋付植生マット２のそれぞれＡ方向における一方端部同士（図示せず）が例えばホックリング等の連結手段を用いて連結されている。
【００５０】
また、前記動物食害防止ネット１０は、前記植生マット２よりも長尺であって、且つ適当間隔Ｄおきに補強用桟体１１を備えている。
【００５１】
前記植生マット２の縦の長さ（Ａ方向の長さ）は３〜２０ｍであり、前記動物食害防止ネット１０の縦の長さ（Ａ方向の長さ）は４．５〜３０ｍであり、また、前記植生マット２の横の長さ（Ｂ方向の長さ）Ｗは１．０〜２．０ｍであり、前記動物食害防止ネット１０の横の長さ（Ｂ方向の長さ）Ｘは１．０〜２．０ｍである。また、前記植生マット２にはＡ方向に沿って略等間隔ｄ（≒Ｄ／３）で複数個の肥料袋７が付設されている。各肥料袋７の長手方向はＢ方向に沿っている。
【００５２】
前記植生マット２は、植物（草本植物、木本植物等）Ｐの種子ａを下部に保持する一枚の薄綿４をネット５の下面（法面Ｎ側）に保持するとともに、ネット５の複数箇所に適宜間隔ｄを有して収容部６を設け、これら収容部６に有機質材料や保水材及び肥料等の植生基材ｂが収容された例えば不織布などからなる肥料袋７が挿入収容されている。前記薄綿４は、例えばスフなどからなり、シート状をしているとともに、ネット５の下面に貼着されている。種子ａは、例えば、水溶性糊を用いて薄綿４に接着される。ネット５は、可撓性ネットであり、例えばナイロン、ポリエステル、ポリエチレン等の耐腐食性の合成樹脂繊維やポリ乳酸系などの生分解性の合成樹脂繊維、ヤシや麻、藁などの植物繊維、紙などを用いて格子状または簾状に成型してある。
【００５３】
そしてこの実施形態では、前記動物食害防止ネット１０として、菱形金網を用いており、また、補強用桟体１１として４ｍｍ程度の線径を有する棒状の鉄製番線を用いている。
【００５４】
而して、動物食害防止ネット付植生基体１は、工場生産の段階で製品化される。すなわち、番線１１の軸方向を前記動物食害防止ネット１０の横方向（Ｂ方向）に沿わせながら、かつ前記動物食害防止ネット１０の縦方向（Ａ方向）における法肩側から法尻側に向かって隣接した状態で番線１１（１１ａ），１１（１１ｂ），１１（１１ｃ）を前記動物食害防止ネット１０に取り付ける。この際、隣接する番線１１（１１ａ），１１（１１ｂ），１１（１１ｃ）間の取り付け距離Ｄ（≒３×ｄ）を維持しながら、例えば、前記動物食害防止ネット１０の目合い（網目）Ｅを縫うように番線１１（１１ａ），１１（１１ｂ），１１（１１ｃ）を前記動物食害防止ネット１０に通すことにより取り付ける。
【００５５】
さらに、番線１１（１１ａ），１１（１１ｂ），１１（１１ｃ）が適当間隔Ｄ（≒３×ｄ）おきに取り付けられた前記動物食害防止ネット１０および前記植生マット２それぞれの端部同士（図示せず）を例えばホックリング等の連結手段を用いて連結することにより番線１１（１１ａ），１１（１１ｂ），１１（１１ｃ）を備えた前記動物食害防止ネット１０と前記植生マット２を一体化する。そして、一体化してある番線１１，１１（１１ｂ），１１（１１ｃ）付の前記動物食害防止ネット１０と前記植生マット２とを例えば前記連結端部の側から重ね合わせたまま２重状態で巻くことにより、ロール巻きした動物食害防止ネット付植生基体１をうるとこができ、これを工場より出荷することができる。
【００５６】
また、施工にあたっては、法面（植生対象面の一例）Ｎの表面を整地にした後、ロール巻きしてある動物食害防止ネット付植生基体１をほどいて展開し、これを前記植生マット２を法面側に向けた状態で法面Ｎ上に敷設する。続いて、前記植生マット２から前記動物食害防止ネット１０が一部浮いた状態となるように番線１１（１１ａ），１１（１１ｂ），１１（１１ｃ）、前記動物食害防止ネット１０及び前記植生マット２をアンカーピン（固定用部材の一例）１２により法面Ｎに固定する。この実施形態では、番線１１（１１ａ），１１（１１ｂ），１１（１１ｃ）を、肥料袋７一つ置きに順次肥料袋７上面に位置させている。
【００５７】
すなわち、動物食害防止ネット１０と肥料袋付植生マット２とは重ね合わされて端部同士が連結されていることから、動物食害防止ネット１０および肥料袋付植生マット２の前記連結端部を持った状態でロール状の動物食害防止ネット付植生基体１を法面Ｎの法肩（法面上側）から下（法尻側）へ放り投げるように展開させて、上（法肩）から順にアンカーピン１２を打設していく。
【００５８】
具体的には、図１（Ａ）に示すように、高さＨを有する状態で浮き上がる上に凸の湾曲形状のネット部分１０ｂを形成するため、図２において、Ａ方向において隣接する番線１１（１１ａ），１１（１１ｂ），１１（１１ｃ）のうち法肩側の番線１１（１１ａ）を肥料袋７（７ａ）に沿う形で肥料袋７（７ａ）上面に位置させる一方、法尻側の番線１１（１１ｂ）を肥料袋７（７ａ）から一つ置いて法尻側に位置する肥料袋７（７ｃ）に沿う形で肥料袋７（７ｃ）上面に位置させる。この位置決め動作と同時に、番線１１（１１ａ）、前記動物食害防止ネット１０及び肥料袋７（７ａ）と、番線１１（１１ｂ）、前記動物食害防止ネット１０及び肥料袋７（７ｃ）をそれぞれアンカーピン１２により法面Ｎに固定する〔図１（Ａ）参照〕。この場合、アンカーピン１２は番線１１（１１ａ）、１１（１１ｂ）の両端部分に打ち込まれる。そして、この動作を連続的に繰り返して法面Ｎを覆うように法面Ｎの左右上下方向に複数の連続したネット部分１０ｂが形成される。
【００５９】
そして、例えば図２において二点鎖線で示すネット部分１０ｂのＢ方向両端側にも同様のネット部分が位置することになるが、二点鎖線で示すネット部分１０ｂのそれぞれ両サイドの任意の位置Ｒ，Ｔにおいて二点鎖線で示すネット部分１０ｂに隣接するネット部分同士を紐体や針金等の結束部材を用いて結束することにより、各ネット部分１０ｂを補強することができる。
【００６０】
上記のように前記植生マット２を法面Ｎ上に張設した状態とすることにより、種子ａは薄綿４によって飛散・流亡することが防止されるとともに、保温効果を持った薄綿４により、種子ａは発芽・成長に適した温度下・環境下に置かれることになる。また、ネット５および薄綿４により降雨や風食などによる法面Ｎの浸食（エロージョン）が確実に防止される。
【００６１】
その後、時間が経過すると、前記植生マット２の種子ａが発芽し、最終的に植物Ｐが繁殖する。この際、複数の前記ネット部分１０ｂは法面Ｎから浮いた状態にあり、植物は各ネット部分１０ｂによって保護されているので、鹿等の食害動物による食害を防止することができる。
【００６２】
なお、この実施形態では、隣接する肥料袋７，７間の間隔ｄを目安にし、隣接する補強用桟体１１，１１間の取り付け距離Ｄ（≒３×ｄ）を決定するとともに、番線１１、前記動物食害防止ネット１０及び肥料袋７をアンカーピン１２により法面Ｎに固定する形態を示したが、植生基体として、肥料袋７を備えていない例えば図７に示すような植生シート２’にもこの発明を適用することができることは勿論である。要は、前記ネット部分１０ｂの浮き上がる高さを、隣接する補強用桟体１１，１１間の取り付け距離（間隔）Ｄによって調整することができる構成の動物食害防止ネット付植生基体であれは、これらに限るものではない。
【００６３】
図３，４は、上記実施形態で用いた菱形金網１０に比べて幾分柔らかい（より柔軟性を持つ）金網を動物食害防止ネットとして用いるとともに、この動物食害防止ネット１０を前記植生マット２から一部浮かせるための支えとして機能するフック付補強材を用いたこの発明の第２の実施形態を示す。なお、図３，４において、図１，２に示した符号と同一のものは同一または相当物である。
【００６４】
図３，４において、前記動物食害防止ネット１０として、前記菱形金網１０に比べて幾分柔らかい（より柔軟性を持つ）亀甲金網を用いている。
【００６５】
１４は、上に凸の湾曲形状をなす合成樹脂製または金属製のフック付補強材である。この補強材１４は、番線１１，１１に係合可能なフック１５，１５が両端に形成されており、また、可撓性を有しており、フック１５の下面１５ａからの頂点Ｓまでの高さｈはネット部分１０ｂの浮き上がる高さＨになるよう予め設定されている。
【００６６】
而して、施工にあたっては、法面Ｎの表面を整地にした後、ロール巻きしてある動物食害防止ネット付植生基体１をほどいて展開し、これを前記植生マット２を法面側に向けた状態で法面Ｎ上に敷設する。続いて、前記植生マット２から前記ネット１０が一部浮かんだ状態となるように番線１１（１１ａ），１１（１１ｂ），１１（１１ｃ）、前記動物食害防止ネット１０及び前記植生マット２をアンカーピン（固定用部材の一例）１２により法面Ｎに固定する。
【００６７】
この際、高さＨを有する状態で浮き上がらせたネット部分１０ｂは前記ネット１０として柔らかい素材のものを使用しているので、ネット部分１０ｂ単独では保形性を維持することができない。そこで、ネット部分１０ｂを支えるためにフック付補強材１４が使用される。例えば、肥料袋７（７ａ）の上面に前記補強材１４の一方のフック１５を位置させるとともに、肥料袋７（７ｃ）の上面に前記補強材１４の他方のフック１５を位置させながら、一方のフック１５に番線１１（１１ａ）の一方の端部を係合させ、また、他方のフック１５に番線１１（１１ｃ）の一方の端部を係合させた状態で番線１１（１１ａ）、前記動物食害防止ネット１０、及び肥料袋７（７ａ）と、番線１１（１１ｃ）、前記動物食害防止ネット１０及び肥料袋７（７ｃ）とをそれぞれアンカーピン１２により法面Ｎに固定するとともに、番線１１（１１ａ）の他方の端部の側と番線１１（１１ｃ）の他方の端部の側ならびに番線１１（１１ａ）の中間部と番線１１（１１ｃ）の中間部についても別途補強材１４を用いて同様のことを行うことにより、前記補強材１４によって支持された柔らかいネット部分１０ｂを得ることができる。
【００６８】
図５は、前記動物食害防止ネット１０に備わっている番線１１の肥料袋７への取り付け位置をＢ方向に隣接して敷設されている前記植生マット２毎に肥料袋一本分ずらせてネット部分１０ｂを形成するように構成したこの発明の第３の実施形態を示す。なお、図５において、図１〜４に示した符号と同一のものは同一または相当物である。
【００６９】
図６は、複数の前記植生マット２，２とこれに対応する数の前記動物食害防止ネット１０を用意する一方、複数の前記動物食害防止ネット１０，１０に跨がる、上記各実施形態で用いた番線１１よりも長尺の番線１１を用いたこの発明の第４の実施形態を示す。なお、図６において、図１〜５に示した符号と同一のものは同一または相当物である。
【００７０】
この実施形態では、長尺の番線１１が例えばＢ方向において隣接する二つの動物食害防止ネット１０，１０に跨がって取り付けられている。そして、適当間隔Ｄを介して、Ａ方向において隣接する番線１１，１１同士が設けられている。
【符号の説明】
【００７１】
１          動物食害防止ネット付植生基体
２          植生マット（植生基体の一例）
１０          動物食害防止ネット
１１          補強用桟体
１２          固定用部材
Ｎ          植生対象面
Ｄ          適当間隔
【図１】
2010213606.tif 000003
【図２】
2010213606.tif 000004
【図３】
2010213606.tif 000005
【図４】
2010213606.tif 000006
【図５】
2010213606.tif 000007
【図６】
2010213606.tif 000008
【図７】
2010213606.tif 000009